(57)【要約】【課題】快適な空調効果を得ることが可能であって、室内の特定領域における汚染物質の移動を抑制し、空調効果の均一化も図ることができる、空調技術を提供する。【解決手段】多床室空調設備１は、複数のベッド２が配置され外部に面する窓３を備えた病室５内へ空調機６で調整した調和空気ＳＡ１，ＳＡ２を供給して病室５内の空調を行う空調設備である。多床室空調設備１は、空調機６のケーシング６ａ内に互いに独立して形成されたベッド給気用分流路９および窓側給気用分流路１０と、ベッド給気用分流路９へ外気を導入するためベッド給気用分流路９に連結された送気経路８と、ベッド２の上方領域へ調和空気を連続的に送給するためベッド給気用分流路９に連結されたベッド給気経路１１と、病室５内の窓３近傍へ調和空気を送給するため窓側給気用分流路１０に連結された窓側給気経路１２とを備えている。【選択図】  図１
2005195280.tif 000002
【特許請求の範囲】
【請求項１】
ケーシング内に互いに独立して形成された第１分流路および第２分流路と、前記第１分流路に連通して形成された外気導入口と、前記第２分流路に連通して形成された内気導入口と、複数の前記分流路にそれぞれ個別に設けられた送風ファンと、前記分流路に配置された熱交換器と、前記第１分流路に連通して形成された外気送出口と、前記第２分流路に連通して形成された内気送出口と、を備えたことを特徴とする空調機。
【請求項２】
前記外気送出口からの送風量を一定とし、前記内気送出口からの送風量を変更可能とした請求項１記載の空調機。
【請求項３】
複数のベッドが配置され外部に面する窓を備えた室内へ空調機で調整した調和空気を供給して前記室内の空調を行う空調設備であって、
前記空調機のケーシング内に互いに独立して形成されたベッド給気用分流路および窓側給気用分流路と、
前記ベッド給気用分流路へ外気を導入するため前記ベッド給気用分流路に連結された外気導入経路と、
前記ベッドの上方領域へ調和空気を連続的に送給するため前記ベッド給気用分流路に連結されたベッド給気経路と、
前記室内の窓近傍へ調和空気を送給するため前記窓側給気用分流路に連結された窓側給気経路と、を備えたことを特徴とする多床室空調設備。
【請求項４】
前記ベッド給気用分流路からの送風量を一定とし、前記窓側給気用分流路からの送風量を変更可能とした請求項３記載の多床室空調設備。
【請求項５】
１つの前記ベッド給気用経路を経由して複数の前記ベッドの上方領域へ調和空気を送給する構成とした請求項３または４記載の多床室空調設備。
【発明の詳細な説明】
【技術分野】
【０００１】
本発明は、病院や介護施設などにおける複数の患者が収容された病室のように、一つの室内に複数のベッドが配置された多床室内部を空調するための空調技術に関する。
【背景技術】
【０００２】
病院や介護施設などにおいては、１つの病室内に複数の患者が収容される場合が少なくないが、このような病室として、例えば、図４，図５に示すような病室がある。この病室５０は、外部に面する窓５１と、この窓５１の反対側に開設された出入口５３とを備え、その内部には通路スペース５０ａを挟んで合計４台のベッド５４がそれぞれコーナー寄りの部分に配置されている。また、それぞれのベッド５４には、その周囲の壁のない部分を平面視でＬ字状状態に覆うことのできるカーテン５５が設けられている。
【０００３】
図４は昼間における病室５０の状態を示す平面図であり、図５は夜間における病室５０の状態を示す平面図である。図４に示す昼間状態においては、それぞれのベッド５４の周囲のカーテン５５は開放されているので、空気の流動はスムーズであり、比較的温暖で空調の要らない時期は窓５１も開放されるので、換気は良好である。
【０００４】
ところが、図５に夜間状態においては、それぞれのカーテン５５が閉じられる結果、各々のベッド５４は壁とカーテン５５によって区画された状態となるため、病室５０内の空気の流通が悪化する。このため、病室５０に設けられている空調設備（図示せず）の機能が十分に発揮されなくなって、空調効果が不均一となったり、換気不良が生じたりすることがある。
【０００５】
病室５０のような多床病室の空調設備としては、従来、図６に示すように病室６０の出入口６３近くの天井裏にファンコイルユニットなどの空調機６２を設置し、窓６１寄りの天井部分に吹出口６４を配置し、空調機６２と吹出口６４とをダクト６５で連結したものがある。空調機６２において調整された調和空気はダクト６５を経由して吹出口６４から病室６０内の窓５１近傍へ吹き出すようになっている。
【０００６】
一方、図７に示すように、病室７０の出入口７３近くの天井裏に空調機７２を配置し、各ベッド７４の直上の天井部分にそれぞれ吹出口７５を配置し、空調機７２と４つの吹出口７５とをダクト７６で連結したものがある（例えば、特許文献１参照。）。空調機７２から送給される調和空気は各ダクト７６を経由して、それぞれの吹出口７５からベッド７４の上方領域へ吹き出される。また、各吹出口７５から吹き出す調和空気の風量の調節は各ベッド７４において行うことができるようになっている。
【０００７】
【特許文献１】特開平１１−２４８１９６号公報（第２−４頁、第１図）
【発明の開示】
【発明が解決しようとする課題】
【０００８】
図６に示す空調設備の場合、各ベッド６６の周りのカーテン６７が開放状態にあるときは、図８に示すように、病室６０内の空気の流動は良好であり、吹出口６４から吹き出した調和空気（ＳＡ）は病室６０内を循環する。しかしながら、空調機６２の吸込口６８から空気が吸い込まれるので、調和空気（ＳＡ）は病室６０を水平方向にも移動しながら循環することとなる。このため、隣り合うベッド６６間において汚染物資が移動するおそれがある。また、夜になって、それぞれのカーテン６７が閉止されると、吹出口６４から吹き出した調和空気（ＳＡ）が各ベッド６６へ流通しなくなるため、空調効果は大幅に悪化する。
【０００９】
一方、図７に示す空調設備（特許文献１に記載されている空調設備）の場合、各ベッド７４の上方領域に調和空気（ＳＡ）が吹き出すので、全ての吹出口７５から調和空気が吹き出していれば、優れた空調効果が得られ、各ベッド７４間における汚染物質の移動も抑制することができる。
【００１０】
しかしながら、図９に示すように、あるベッド７４ａにおいて、吹出口７５からの調和空気（ＳＡ）の吹き出し風量がゼロに設定されると、換気作用が失われるため、隣のベッド７４ｂの上方に吹き出している調和空気ＳＡの一部がベッド７４ａへ流動してくることとなる。このため、ベッド７４ｂからベッド７４ａへ汚染物質が移動するおそれがある。
【００１１】
本発明が解決しようとする課題は、快適な空調効果を得ることが可能であって、室内の特定領域における汚染物質の移動を抑制し、空調効果の均一化も図ることのできる空調技術を提供することにある。
【課題を解決するための手段】
【００１２】
本発明の空調機は、ケーシング内に互いに独立して形成された第１分流路および第２分流路と、第１分流路に連通して形成された外気導入口と、第２分流路に連通して形成された内気導入口と、複数の前記分流路にそれぞれ個別に設けられた送風ファンと、前記分流路に配置された熱交換器と、第１分流路に連通して形成された外気送出口と、第２分流路に連通して形成された内気送出口と、を備えたことを特徴とする。
【００１３】
このような構成とすることにより、外気導入口から第１分流路に導入した外気を調整して得られた調和空気を外気送出口から特定領域へ連続的に送給するとともに、内気導入口から第２分流路に導入した内気（室内空気）を調整して得られた調和空気を他の特定領域へ送給することが可能となる。すなわち、外気を調整した調和空気と、内気を調整した調和空気とをそれぞれ異なる特定領域へ送給することが可能となる。したがって、室内の状況に応じて、外気を調整した調和空気を送給すべき領域と、内気を調整した調和空気を送給すべき領域を設定すれば、快適な空調効果を得ることができ、室内の特定領域における汚染物質の移動を抑制し、空調効果の均一化も図ることができる。
【００１４】
この場合、外気送出口からの送風量を一定として、内気送出口からの送風量を変更可能とすることが望ましい。このような構成とすれば、室内における一定の換気作用を確保しつつ、窓からの熱貫流をはじめとする熱負荷に応じた空調を実現することが可能となる。
【００１５】
次に、本発明の多床室空調設備は、複数のベッドが配置され外部に面する窓を備えた室内へ空調機で調整した調和空気を供給して室内の空調を行う空調設備であって、
空調機のケーシング内に互いに独立して形成されたベッド給気用分流路および窓側給気用分流路と、
ベッド給気用分流路へ外気を導入するためベッド給気用分流路に連結された外気導入経路と、
ベッドの上方領域へ調和空気を連続的に送給するためベッド給気用分流路に連結されたベッド給気経路と、
室内の窓近傍へ調和空気を送給するため窓側給気用分流路に連結された窓側給気経路と、を備えたことを特徴とする。
【００１６】
このような構成とすることにより、外気導入経路からベッド給気用流路に導入した外気を調整した調和空気を、ベッド給気経路を経由してベッドの上方領域へ連続的に送給するとともに、ベッド給気用経路から独立した窓側給気用分流路で調整した調和空気を窓側給気経路を経由して室内の窓近傍へ送給することが可能となる。
【００１７】
これによって、ベッド上には新鮮な外気を調整して得られた調和空気が一様に連続的に供給されるため、換気作用が途切れることがなくなり、快適な空調効果を得ることが可能となり、室内のベッド間における汚染物質の移動も抑制することができる。また、室内の窓近傍に吹き出した調和空気は、ベッド上を通過することなく、室内を循環するので、汚染物質の移動防止に有効であり、空調効果の均一化も図ることができる。
【００１８】
また、室内の必要換気量に対して定められた分量の外気を、室内の循環空気と混合することなく直接ベッド上に供給することができるので、ベッド上の患者は新鮮空気を直接呼吸できるようになり、快適性が向上する。また、室内を循環する空気がベッド上に侵入しないので、ウィルスなどの汚染物質が他の患者のベッドへ移動するのを抑制することができる。さらに、外気を調整した調和空気が連続的に送給されるので、法律などで定められた所定の換気量を確保することができる。
【００１９】
この場合、ベッド給気用分流路からの送風量を一定とし、窓側給気用分流路からの送風量を変更可能とすることが望ましい。このような構成とすれば、ベッド上方領域への送風量を一定に保つことで熱負荷変動の少ないベッド部分においては安定した空調効果を維持することができ、外気に面して熱負荷の変動幅の大きい窓近傍に対しては、送風量変更によって的確に対処することが可能となるため、エネルギの無駄がなくなり、空調効果もさらに向上する。また、ベッド給気用分流路からの送風量を一定とすることにより、送風ファンの制御手段を簡略化することができるため、構造が簡素化され、コストダウンも図ることができる。
【００２０】
一方、１つのベッド給気用経路を経由して少なくとも２台のベッドの上方領域へ調和空気を送給する構成とすることが望ましい。このような構成とすれば、ベッド給気用経路の本数を室内に配置されたベッドの台数より少なくすることができるため、ベッド給気用経路の配置スペースの縮小、経路形成用資材の削減を図ることができる。
【発明の効果】
【００２１】
本発明により、以下の効果を奏する。
【００２２】
（１）ケーシング内に互いに独立して形成された第１分流路および第２分流路と、第１分流路に連通して形成された外気導入口と、第２分流路に連通して形成された内気導入口と、複数の前記分流路にそれぞれ個別に設けられた送風ファンと、前記分流路に配置された熱交換器と、第１分流路に連通して形成された外気送出口と、第２分流路に連通して形成された内気送出口と、を備えたことにより、室内の状況に応じて、快適な空調効果を得ることができ、室内の特定領域における汚染物質の移動を抑制し、空調効果の均一化も図ることができる。
【００２３】
（２）外気送出口からの送風量を一定とし、内気送出口からの送風量を変更可能とすれば、室内における一定の換気作用を確保しつつ、窓からの熱貫流をはじめとする熱負荷に応じた空調を実現することができる。
【００２４】
（３）複数のベッドが配置され外部に面する窓を備えた室内へ空調機で調整した調和空気を供給して室内の空調を行う空調設備において、空調機のケーシング内に互いに独立して形成されたベッド給気用分流路および窓側給気用分流路と、ベッド給気用分流路へ外気を導入するためベッド給気用分流路に連結された外気導入経路と、ベッドの上方領域へ調和空気を連続的に送給するためベッド給気用分流路に連結されたベッド給気経路と、室内の窓近傍へ調和空気を送給するため窓側給気用分流路に連結された窓側給気経路と、を備えたことにより、快適な空調効果を得ることが可能となり、室内のベッド間における汚染物質の移動が抑制され、空調効果の均一化も図ることができる。
【００２５】
（４）ベッド給気用分流路からの送風量を一定とし、窓側給気用分流路からの送風量を変更可能とすることにより、熱負荷変動の少ないベッド部分においては安定した空調効果を維持することができ、外気に面して熱負荷の変動幅の大きい窓近傍に対しては、送風量変更によって的確に対処することが可能となるため、エネルギの無駄がなくなり、空調効果もさらに向上する。また、送風ファンの制御手段を簡略化することができるため、構造が簡素化され、コストダウンも図ることができる。
【００２６】
（５）１つのベッド給気用経路を経由して少なくとも２台のベッドの上方領域へ調和空気を送給する構成とすることにより、ベッド給気用経路の本数を室内に配置されたベッドの台数より少なくすることができるため、ベッド給気用経路の配置スペースの縮小、経路形成用資材の削減を図ることができる。
【発明を実施するための最良の形態】
【００２７】
以下、図面に基づいて、本発明の実施の形態である多床室空調設備について説明する。図１は本発明の実施の形態である多床室空調設備を示す概略平面図であり、図２は図１に示す多床室空調設備の概略構成図であり、図３は図１に示す多床室空調設備の稼働状態を模式的に示す図である。
【００２８】
図１に示すように、本実施形態の多床室空調設備１は、内部に複数のベッド２が配置され、一方の壁に外部に面する窓３を備え、この窓３の反対側の壁に出入口４を備えた病室５の内部へ空調機６で調整した調和空気（ＳＡ）と外気（ＯＡ）とを供給して病室５内の空調を行う空調設備である。空調機６は、病室５の出入口４寄りの天井裏に配置され、外部から取り込んだ外気の温度、湿度および清浄度をある程度調整するための外調機７が病室５のコーナー寄りの天井裏に配置されている。外調機７で調整された外気は送気経路８を経由して空調機６へ送給される。
【００２９】
図２に示すように、空調機６のケーシング６ａ内には、隔壁６ｂで区画することによりベッド給気用分流路９および窓側給気用分流路１０が互いに独立して形成され、それぞれの流路９，１０内に送風ファン１６，１７が配置され、送風ファン１６，１７よりも下流側のケーシング６ａ内に、流路９，１０を横断する状態で熱交換器１８が配置されている。なお、図示していないが、外調機７の内部にも、外気の温度、湿度を調整するための熱交換器、外気を清浄化するためのフィルタおよび外気を吸い込んで空調機６へ送給するための送風ファン（図示せず）が配置されている。
【００３０】
また、ベッド給気用分流路９へ外気を導入するため、ベッド給気用分流路９と連通する外気導入口（図示せず）に外気導入経路である送気経路８が連結され、各ベッド２の上方領域へ調和空気を連続的に送給するためベッド給気用分流路９と連通する外気送出口（図示せず）に２本のベッド給気経路１１が連結され、窓３近傍へ調和空気を送給するため窓側給気用分流路１０と連通する内気送出口（図示せず）に窓側給気経路１２が連結されている。窓側給気用分流路１０には、室内空気を取り込むための吸込口１３が連結されている。なお、図示していない外気導入口、外気送出口および内気送出口はいずれも空調機６のケーシング６ａに設けられている。
【００３１】
図３に示すように、ベッド給気経路１１を経由して送給される調和空気ＳＡ１を各ベッド２の上方領域に吹き出すための吹出口１４が各ベッド２の直上の天井部分に配置され、窓側給気経路１２を経由して送給される調和空気ＳＡ２を窓３近傍へ吹き出すための吹出口１５が窓３寄りの天井部分に配置されている。
【００３２】
このような多床室空調設備１において、外調機７および空調機６を稼働させると、病室５の外部に開口した吸込口１９から吸い込まれた外部の空気が外調機７において調整された後、外気ＯＡとして送気経路８を経由して空調機６へ送給される。そして、この外気ＯＡは空調機６のケーシング６ａ内のベッド給気用分流路９内へ導入され、ここを通過することによって調整された調和空気ＳＡ１がベッド給気経路１１を経由して吹出口１４から各ベッド２の上方領域へ連続的に吹き出される。
【００３３】
また、送風ファン１７の吸引作用により、吸込口１３から吸い込まれた室内空気ＲＡは、窓側給気用分流路１０で調整されて調和空気ＳＡ２となり、窓側給気経路１２を経由して吹出口１５から窓３近傍へ吹き出される。
【００３４】
このように、多床室用空調設備１においては、送気経路８を経由して吸い込んだ外気（ＯＡ）および吸込口１３から吸い込んだ室内空気（ＲＡ）を、互いに独立したベッド給気用分流路９および窓側給気用分流路１０において別々に調整した後、ベッド給気経路１１および窓側給気経路１２を経由して別々に病室５内へ供給することができる。
【００３５】
これによって、図３に示すように、各ベッド２上には新鮮な外気（ＯＡ）を調整して得られた調和空気ＳＡ１が一様に連続的に供給されるため、各ベッド２においては換気作用が途切れることなく維持され、快適な空調効果を得ることができ、病室５内の各ベッド２間における汚染物質の移動を抑制することができる。また、病室５内の窓３近傍に吹き出した調和空気ＳＡ２は、各ベッド２上を通過することなく、病室５内を循環するので、汚染物質の移動防止に有効であり、空調効果の均一化も図ることができる。
【００３６】
また、本実施形態の多床室用空調設備１においては、ベッド給気用分流路９からの送風量を一定とし、窓側給気用分流路１０からの送風量を変更可能としている。これにより、ベッド２の上方領域への送風量を一定に保つことで熱負荷変動の少ないベッド２部分においては安定した空調効果を維持することができるとともに、外部に面して熱負荷の変動幅の大きい窓３近傍に対しては、送風ファン１７の送風量変更によって的確に対処することができる。したがって、エネルギの無駄がなくなり、優れた空調効果を得ることができるようになる。また、送風ファン１６の制御手段を簡略化することができるため、構造が簡素化され、コストダウンも図ることができる。
【００３７】
また、本実施形態では、病室５内の４台のベッド２へ調和空気ＳＡ１を供給するために２つのベッド給気用経路１１を設けるとともに、１つのベッド給気用経路１１を経由して２台のベッド２の上方領域へ調和空気を送給している。したがって、ベッド給気用経路１１の本数を病室５内に配置されたベッド２の台数より少なくすることが可能であり、ベッド給気用経路１１の配置スペースを縮小し、経路形成用資材の削減を図ることができる。
【００３８】
本実施形態の多床室用空調設備１は、病室５内の必要換気量に対して定められた量の外気を病室５内の循環空気と混合することなく、直接、各ベッド２上に供給することができるので、ベッド２上の患者は常に新鮮空気を直接呼吸できるようになり、快適性が向上する。また、病室５内を循環する空気がベッド２上に侵入しないので、ウィルスなどの汚染物質が他の患者のベッド２へ移動するのを抑制することができる。さらに、外気を調整した調和空気が連続的に送給されるので、法律などで定められた所定の換気量を確保することができる。
【００３９】
また、本実施形態においては、外調機７を配置しているため、外部の空気を直接空調機６に導入した場合に、外部空気と室内空気との間における温度格差や湿度格差によって生じる可能性のある結露水の大量発生や空調機６の過負荷などのトラブルを回避することができる。なお、本実施形態の多床室空調設備１は、合計４台のベッド２が配置された病室５の空調設備であるが、病室５の広さ、形状、ベッドの配置台数などはこれに限定するものではないので、様々な規模の病室に広く応用することができる。
【産業上の利用可能性】
【００４０】
本発明に係る多床室空調設備は、複数のベッドが配置された病室内の空調設備として広く利用することができる。
【図面の簡単な説明】
【００４１】
【図１】本発明の実施の形態である多床病室空調設備を示す概略平面図である。
【図２】図１に示す多床病室空調設備の概略構成図である。
【図３】図１に示す多床病室空調設備の稼働状態を模式的に示す図である。
【図４】昼間における多床病室の状態を示す平面図である。
【図５】夜間における多床病室の状態を示す平面図である。
【図６】従来の多床病室空調設備を示す概略平面図である。
【図７】従来の多床病室空調設備を示す概略平面図である。
【図８】図６に示す多床病室空調設備の稼働状態を模式的に示す図である。
【図９】図７に示す多床病室空調設備の稼働状態を模式的に示す図である。
【符号の説明】
【００４２】
１  多床室空調設備
２  ベッド
３  窓
４  出入口
５  病室
６  空調機
６ａ  ケーシング
６ｂ  隔壁
７  外調機
８  送気経路
９  ベッド給気用分流路
１０  窓側給気用分流路
１１  ベッド給気経路
１２  窓側給気経路
１３，１９  吸込口
１４，１５  吹出口
１６，１７  送風ファン
１８  熱交換器
ＯＡ  外気
ＳＡ  調和空気
ＲＡ  室内空気（循環空気）
ＳＡ１，ＳＡ２  調和空気
【図１】
2005195280.tif 000003
【図２】
2005195280.tif 000004
【図３】
2005195280.tif 000005
【図４】
2005195280.tif 000006
【図５】
2005195280.tif 000007
【図６】
2005195280.tif 000008
【図７】
2005195280.tif 000009
【図８】
2005195280.tif 000010
【図９】
2005195280.tif 000011